(57)【特許請求の範囲】
【請求項１】
空気調和装置本体と、前記空気調和装置本体の下面側を覆う樹脂製の化粧パネルと、を備えた天井埋込型の空気調和装置において、
前記化粧パネルが前記空気調和装置本体の吊り金具付近に設けられ取付け高さを調整するためにアクセス可能としたメンテナンス用開口と、前記メンテナンス用開口をふさぐために当該化粧パネルに取り付けられるサイドパネルとを有し、
前記化粧パネルが当該化粧パネルの下面側から当該化粧パネルの自重を支えるように前記空気調和装置本体に固定部材により固定され、
前記サイドパネルが前記固定部材により応力が発生される前記化粧パネルの部分であって、前記固定部材の前記サイドパネル側に露出した部分を略密閉した状態で収納するためのポケット部、ポケット部の周縁部で突形状をなし前記固定部材の周辺部分における前記化粧パネルの平板状のフレーム部に当接する突縁部を一体に有し、前記ポケット部および前記突縁部が前記サイドパネルの壁部と協働して前記固定部材を略密閉状態で覆うことを特徴とする空気調和装置。
【請求項２】
請求項１記載の空気調和装置において、
前記化粧パネルは、側部にメンテナンス用開口が設けられた化粧パネル本体と、前記メンテナンス用開口をふさぐために前記化粧パネル本体に着脱可能に取り付けられるサイドパネルを有し、
前記密閉収納部は、前記サイドパネルに設けられていることを特徴とする空気調和装置。
【請求項３】
請求項２記載の空気調和装置において、
前記密閉収納部は、前記化粧パネル本体の前記固定部材で固定された部分およびその近傍を覆う際に前記化粧パネル本体の表面に密着する突縁部が設けられていることを特徴とする空気調和装置。
【請求項４】
請求項３記載の空気調和装置において、
前記サイドパネルは、前記化粧パネル本体に設けられた係合受け部に側方から摺動して係合する複数の係合部を有し、
前記密閉収納部は、前記係合部が前記係合受け部に係合するに際し、前記突縁部が前記化粧パネルのフレームであって前記固定部材が固定された部分の近傍に当接した状態で摺動され、前記固定部材で固定された部分およびその近傍を覆う、
ことを特徴とする空気調和装置。
【発明の詳細な説明】
【技術分野】
【０００１】
本発明は、空気調和装置に係り、特に空気調和装置本体に樹脂製の化粧パネルがねじなどの固定部材で取り付けられた空気調和装置に関する。
【背景技術】
【０００２】
従来より空気調和装置本体の内部が仕切り板によって熱交換室と機械室とに仕切られるとともに、空気調和装置本体の下面側を覆う化粧パネルを備えた天井埋込型空気調和装置が知られている（例えば、特許文献１参照）
このような天井埋込型空気調和装置においては、空気調和機本体の下面側に化粧パネルがねじ止めなどにより固定されているのが一般的である。
【特許文献１】特開２００３−１９４３９４号公報
【発明の開示】
【発明が解決しようとする課題】
【０００３】
ところで、化粧パネルは、美観、成型の容易さおよび強度の観点などからプラスチック樹脂が一般的に使用されている。
具体的には、化粧パネルとしては、例えば、ポリスチレン（ＰＳ）樹脂が使われていた。
ポリスチレン樹脂は、成型が容易であるとともに、強度も高いが、ねじ止め部分などのように、応力が発生している部分においては、空気中に浮遊している油分等が付着すると、油分と応力により樹脂が経年劣化してしまうというおそれがあった。
そこで、本発明の目的は、化粧パネルに応力が発生しているねじ止め部分を外気（被調和室内の空気も含む）から遮断し、当該部分に空気中の油分が付着するのを防止し、経年変化などによる樹脂の劣化を抑制することが可能な空気調和装置を提供することにある。
【課題を解決するための手段】
【０００４】
上記課題を解決するため、空気調和装置本体と、前記空気調和装置本体の下面側を覆う樹脂製の化粧パネルと、を備えた天井埋込型の空気調和装置において、前記化粧パネルが前記空気調和装置本体の吊り金具付近に設けられ取付け高さを調整するためにアクセス可能としたメンテナンス用開口と、前記メンテナンス用開口をふさぐために当該化粧パネルに取り付けられるサイドパネルとを有し、前記化粧パネルが当該化粧パネルの下面側から当該化粧パネルの自重を支えるように前記空気調和装置本体に固定部材により固定され、前記サイドパネルが前記固定部材により応力が発生される前記化粧パネルの部分であって、前記固定部材の前記サイドパネル側に露出した部分を略密閉した状態で収納するためのポケット部、ポケット部の周縁部で突形状をなし前記固定部材の周辺部分における前記化粧パネルの平板状のフレーム部に当接する突縁部を一体に有し、前記ポケット部および前記突縁部が前記サイドパネルの壁部と協働して前記固定部材を略密閉状態で覆うことを特徴としている。
上記構成によれば、密閉収納部は、固定部材により応力が発生される化粧パネルの部分であって、固定部材の前記サイドパネル側に露出した部分を略密閉した状態で収納するので、応力が発生した部分に空気中の油分などが付着するのを防止することができる。
【０００５】
この場合において、前記化粧パネルは、側部にメンテナンス用開口が設けられた化粧パネル本体と、前記メンテナンス用開口をふさぐために前記化粧パネル本体に着脱可能に取り付けられるサイドパネルを有し、前記密閉収納部は、前記サイドパネルに設けられているようにしてもよい。
また、前記密閉収納部は、前記化粧パネル本体の前記固定部材で固定された部分およびその近傍を覆う際に前記化粧パネル本体の表面に密着する突縁部が設けられているようにしてもよい。
【０００６】
さらに、前記サイドパネルは、前記化粧パネル本体に設けられた係合受け部に側方から摺動して係合する複数の係合部を有し、前記密閉収納部は、前記係合部が前記係合受け部に係合するに際し、前記突縁部が前記化粧パネルのフレームであって前記固定部材が固定された部分の近傍に当接した状態で摺動され、前記固定部材で固定された部分およびその近傍を覆う、ようにしてもよい。
【発明の効果】
【０００７】
本発明によれば、樹脂製の化粧パネルにおいて固定部材により応力が発生する部分の劣化を抑制できる。
【発明を実施するための最良の形態】
【０００８】
以下図面を参照して、本発明の実施の形態について説明する。
図１は本実施の形態に係る空気調和装置の外観構成を示す斜視図である。
図１に示すように、空気調和装置１は、空気調和装置本体２と、化粧パネル３と、吸込グリル４とを備えている。空気調和装置本体２は天井内に収納されるものであり、板金製の箱型の本体ケース５を有し、この本体ケース５の両側面５ａの各々には吊り金具６が２つずつ設けられている。この吊り金具６は、天井梁に吊り下げられた吊りボルト（図示せず）に固定されるものである。空気調和装置本体２を天井内に収納する際には、天井面に設けられた天井穴から空気調和装置本体２を天井内に導入し、吊り金具６の各々を吊りボルトに引っかけて固定して、空気調和装置本体２を天井内部に収納する。
【０００９】
図２は吸い込みグリルを開いた状態の化粧パネルの外観斜視図である。図３は、化粧パネルの分解斜視図である。
化粧パネル３は、ポリスチレン（ＰＳ）などの樹脂で形成されており、天井穴を塞ぐように天井面に設けられるものであり、図２に示すように略矩形に形成されている。化粧パネル３は、図３に示すように、２つの仮掛け金具３０により空気調和装置本体２に係止されるとともに、ねじ８０Ａ、８０Ｂ（図６参照）により空気調和装置本体２に固定される。この化粧パネル３には、室内空気を吸込むための吸込口７、及び、室内へ調和空気を吹き出すための吹出口８が各々１つずつ設けられている。これらの吸込口７、吹出口８及び化粧パネル３の縁が断熱材３１により囲まれている。吸込口７には、吸込グリル４が開閉自在に設けられている。
【００１０】
化粧パネル３の吹出口８には、水平フラップ１４が回動自在に設けられる。具体的には、水平フラップ１４には２つの回動軸１５が設けられ、回動軸１５の各々が軸受１６に回動自在に支持されている。
また、この吹出口８には発泡材１７が設けられ、冷房運転時の結露防止が図られている。  化粧パネル３の左右両側の各々には、空気調和装置本体２の吊り金具６付近にアクセスして空気調和装置本体２の取り付け高さを調整などするための４つのメンテナンス用開口１８が設けられ、これらのメンテナンス用開口１８を覆うサイドカバー１９Ａ、１９Ｂが化粧パネル３に着脱自在に設けられる。このサイドカバー１９Ａ、１９Ｂの詳細については後に詳述する。
以上述べた他にも、化粧パネル３には、ワイヤレスリモコンからの信号を受光する受光部２０が嵌め込まれる受光部取付穴２１等が設けられている。
【００１１】
次いで、空気調和装置本体２の内部構成について図４乃至図６を参照して説明する。図４は空気調和装置本体２の内部構成を示す斜視図であり、図５は空気調和装置本体２及び化粧パネル３の構成を模式的に示す断面視図である。また、図６はサイドカバー１９を取り外したときの空気調和装置１を床側から見た平面図である。
【００１２】
図４に示すように、空気調和装置本体２の本体ケース５は、その内部に仕切り板４０が設けられ、この仕切り板４０により、機械室４１と熱交換室４２とに仕切られている。
機械室４１には送風機ユニット５０及び電装箱５１とが配置される。
化粧パネル３の吸込口７は機械室４１を覆う個所に設けられ（図６参照）、送風機ユニット５０の送風動作により、吸込口７から室内空気が空気調和装置本体２に導入される。この送風機ユニット５０は、互いに離間配置される２つの遠心送風機５２と、これらの遠心送風機５２の間に設けられて遠心送風機５２の各々を同軸で駆動するモータ５３とを備えている。
【００１３】
遠心送風機５２は、円筒材の内周面に多数の羽根が設けられモータ５３により円筒の中心軸を回転軸として回転駆動される多翼ファン５４と、この多翼ファン５４を収納する断面視渦巻き螺旋状のケーシング５５を備える。ケーシング５５の両側には多翼ファン５４の直径に相当する大きさの空気吸込口５６が設けられ、この空気吸込口５６が空気調和装置本体２の側方を向くように遠心送風機５２が機械室４１に配置される。また、遠心送風機５２のケーシング５５の内部には断面視渦巻き螺旋状の通風路５７が形成され、この通風路５７の吐出口（出口）がダクト５８を介して仕切り板４０に形成された空気導入口４３（図５参照）に接続される。したがって、図４中、矢印Ａで示すように、遠心送風機５２の多翼ファン５４の回転によって、遠心送風機５５の両側面の空気吸込口５６から室内空気が吸込まれ、矢印Ｂで示すように、ダクト５８及び仕切り板４０を介して熱交換室４２に吐き出される。
【００１４】
ここで、サイドパネルの構成について説明する。
サイドパネル１９Ａおよびサイドパネル１９Ｂとは、対称な形状を有しているので、以下の説明においては、サイドパネル１９Ａについて説明する。
図７は、サイドパネルの裏面側の外観斜視図である。
サイドパネル１９Ａは、大別すると、略平板状のメインプレート部９０と、メインプレート部９０の上方側に位置するように構成されたサブプレート部９１と、を備えている。
メインプレート部９０には、化粧パネル３の係合受け部８１Ａに係合する係合部９２Ａ、９２Ｂと、化粧パネル３の係合受け部８１Ｂに係合する係合部９３と、化粧パネル３の係合受け部８１Ｃに係合する係合部９４と、化粧パネル３の係合受け部８１Ｅに係合する係合部９５と、化粧パネル３の係合受け部８１Ｆに係合する係合部９６と、が設けられている。
【００１５】
サブプレート部９１には、化粧パネル３の係合受け部８１Ｄに係合する係合部９７と、化粧パネル３の係合受け部８１Ｇに係合する係合部９８と、化粧パネル３を空気調和装置本体２に固定しているねじ８０Ｂ（図６参照）の周囲を略密閉状態で覆うポケット部９９と、を備えている。さらに、このポケット部９９の化粧パネル３側の周縁部は、突形状をなす突縁部９９Ａとして形成されている。
実際のサイドパネル１９Ａの化粧パネル３への取付は、サイドパネル１９Ａを図６及び図７に示す矢印Ｄ１方向（化粧パネル３方向）に動かして化粧パネル３の所定位置にはめ込み、さらにサイドパネル１９Ａを化粧パネル３に当接させたまま矢印Ｄ２方向に摺動させることにより行うこととなる。
【００１６】
図８は、サイドパネルを化粧パネルに取り付けた状態の断面斜視図である。
これにより、サイドパネル１９Ａの突縁部９９Ａは、化粧パネル３におけるねじ８０Ｂの周辺部分の平板状のフレーム部３Ａに当接し、壁部９９Ｂと協働して、ねじ８０Ｂを略密閉状態で覆うこととなる。
また、係合部９２Ａ、９２Ｂは、化粧パネル３の係合受け部８１Ａに係合し、係合部９３は、化粧パネル３の係合受け部８１Ｂに係合し、係合部９４は、化粧パネル３の係合受け部８１Ｃに係合し、係合部９５は、化粧パネル３の係合受け部８１Ｅに係合し、係合部９６は、化粧パネル３の係合受け部８１Ｆに係合することとなる。
【００１７】
以上のように構成することにより、化粧パネル３を空気調和装置本体に固定するねじ８０Ｂは、ポケット部９９により略密閉状態で覆われることとなり、ねじ８０Ｂにより化粧パネル３に応力が印加されている部分に空気中に漂う油分が付着することがなくなり、化粧パネル３を構成しているポリスチレン（ＰＳ）などの樹脂の劣化（経年変化による割れなど）を抑制することが可能となる。
【００１８】
以上の説明においては、固定部材であるねじのサイドパネル１９Ａ側に露出した部分を略密閉した状態で収納するための密閉収納部として、ポケット部９９を構成する場合について説明したが、ねじの頭部が凹部内に位置するようにし、当該凹部を蓋部材で着脱可能に密封し、凹部および蓋部材で密閉収納部を構成することも可能である。
同様にポケット部９９の形状は、実施形態のようにボックス形状に限らず、円筒形状など様々な形状を適用することが可能である。
【図面の簡単な説明】
【００１９】
【図１】本実施の形態に係る空気調和装置の外観構成を示す斜視図である。
【図２】吸い込みグリルを開いた状態の化粧パネルの外観斜視図である。
【図３】化粧パネルの分解斜視図である。
【図４】空気調和装置本体の内部構成を示す斜視図である。
【図５】空気調和装置本体及び化粧パネルの構成を模式的に示す断面視図である。
【図６】サイドカバーを取り外したときの空気調和装置を床側から見た平面図である。
【図７】サイドパネルの裏面側の外観斜視図である。
【図８】サイドパネルを化粧パネルに取り付けた状態の断面斜視図である。
【符号の説明】
【００２０】
１…空気調和装置
２…空気調和装置本体
３…化粧パネル
３Ａ…フレーム（密閉収納部）
４…吸込グリル
１９Ａ…サイドパネル
１９Ｂ…サイドパネル
８０Ａ…ねじ（固定部材）
８０Ｂ…ねじ（固定部材）
９０…メインプレート部
９１…サブプレート部
９９…ポケット部（密閉収納部）
９９Ａ…突縁部
【図１】
0004805561.tif 000002
【図２】
0004805561.tif 000003
【図３】
0004805561.tif 000004
【図４】
0004805561.tif 000005
【図５】
0004805561.tif 000006
【図６】
0004805561.tif 000007
【図７】
0004805561.tif 000008
【図８】
0004805561.tif 000009